(57)【要約】【課題】テープカッターなどに設けられているテープの切断構造であって、切断刃でけがをしない為の工夫がされ、且つ、テープのカット作業の容易なテープの切断構造を提供すること。【解決手段】切断刃と、この切断刃に隣接して設けられた前記切断刃に対するガード部とを有し、前記ガード部は、前記切断刃に押し当てる前記テープに押されて退け可能に設けられたことを特徴とする。【選択図】  図１
2007145576.tif 000002
【特許請求の範囲】
【請求項１】
テープを切断刃に押し当てて切るテープの切断構造であって、
切断刃と、この切断刃に隣接して設けられた前記切断刃に対するガード部とを有し、
前記ガード部は、前記切断刃に押し当てる前記テープに押されて退け可能に設けられたことを特徴とする切断構造。
【請求項２】
ガード部は、切断刃の刃渡りに対応した幅を有し、テープの押し当てに対抗する方向に押し出し付勢されて設けられたことを特徴とする請求項１記載の切断構造。
【発明の詳細な説明】
【技術分野】
【０００１】
この発明は、テープカッターなどに設けられているテープの切断構造の改良に関する。
【背景技術】
【０００２】
セロテープ（登録商標）のテープカッター２００は、図７に示すように、テープロール１０１のテープホルダー２０３と、テープの端を引き出して、所望の長さに切る切断刃２１１とを有している。この切断刃２１１は、金属板の一端に三角刃を連ねたギザ刃な切断刃２１１になっている。そして、テープロール１０１から引き出したテープを押し当てる様にして引くと、切れる様になっている。この切断刃２１１のテープロール側には、図８〜９に示すように、引き出したテープが貼り付くテープ止め２１２がテープの粘着面に向けて設けられている。そして、引き出したテープを切断刃２１１に押し当てると、このテープ止め２１２に貼り付き、テープを引いてもそれ以上はテープが出てこない様になっている。この様にテープ止め２１２に貼り付いたテープを切断刃に押し当てる様にして引くと、テープが切れるのである。
【０００３】
この様なテープカッター２００は、家庭や職場などどこにでも置かれており、またこの他にも買物の包みなどに必要な為、スーパーなどのレジ後方に設けてあるサッカー台にも設置してある。
【０００４】
以上様な切断刃の多くは、常時むき出した状態となっており、誤ってこれによりけがをする場合がある。鋭利な刃ではないが、子供などが指にけがをするなどの場合もあり、何らかの安全策も求められている。
【０００５】
これに対し、例えば図１０に示すように、切断刃２１１にカバー２１６のついたテープカッターも提供されている。これは切断刃２１１を覆おうカバー２１６が開け閉め可能に設けられており、利用時はこのカバー２１６を開け、未使用時には閉じておくと云うものである（非特許文献１参照）。
【非特許文献１】発行所  コクヨ株式会社、平成１４年１２月発行；カタログ「Office Supplies コクヨ  オフィスサプライ編  ２００３年度版」
【発明の開示】
【発明が解決しようとする課題】
【０００６】
ただこの様なカバーは、利用する際にはその都度、手でカバーの開け閉めをしなければならず面倒である。
【０００７】
よって、本願発明の課題とするところは、テープの切断構造であって、切断刃でけがをしない為の工夫がされ、且つ、テープのカット作業の容易なテープの切断構造を提供することにある。
【課題を解決するための手段】
【０００８】
以上の課題を解決する為、請求項１記載の発明は、テープを切断刃に押し当てて切るテープの切断構造であって、切断刃と、この切断刃に隣接して設けられた前記切断刃に対するガード部とを有したものである。そして、前記ガード部は、前記切断刃に押し当てる前記テープに押されて退け可能に設けられたことを特徴とする。
【０００９】
テープカッターなどでテープを切る時には、テープを引くようにして強く切断刃に押し当てながら切っているが、テープは、切断刃を覆うようにして設けられているガード部にも当たることとなる。しかしガード部は、この様な力が加わると、これにより退けられることが可能なように可動できるものであり、これによりガード部が退いた切断刃で、テープ切ることができるのである。またテープが切れて、それまでガード部を退けていたテープの力がなくなると、ガード部は切断刃をガードする元の位置に戻る様になっている。ガード部の形状や退く方向は切断構造の設けられ方や、切断刃の向き、切断刃の向きとテープの押し当て方向などによる。
【００１０】
請求項２記載の発明は、請求項１記載の発明において、ガード部は、切断刃の刃渡りに対応した幅を有し、テープの押し当てに対抗する方向に押し出し付勢されて設けられたことを特徴とする。
【００１１】
ガード部は、例えば切断刃と同幅のプラスチック板などを切断刃に近接して設け、それをバネやゴムなどを用いて押し出し付勢を実現することができるが、これに限らない。
【発明の効果】
【００１２】
本願の、テープの切断構造の発明によれば、切断刃でけがをしない為の工夫のされ、且つ、テープのカット作業の容易なテープの切断構造が提供できる。
【発明を実施するための最良の形態】
【００１３】
次に、本願発明の切断構造を、テープカッターの実施例を用いて説明する。
このテープカッター１は、セロテープ（登録商標）１００のテープカッター１であり、図１〜２に示すように、テープカッター１の基体２には、テープロール１０１を嵌めたテープホルダー３を回転可能に支持する軸受部４と、テープロール３から引き出されたテープ１０２を切る切断構造１０とを有している。
【００１４】
切断構造１０は、金属板に三角な刃を連ねて打ち抜いたギザ刃を切断刃１１として用いており、この上向きに設けた切断刃１１が、テープ幅より少し広めの刃幅にもうけてある。またこの切断刃１１のテープロール１０１側には、テープ１０２を切る際にテープ１０２を貼り付けさせて、テープロール１０１からテープ１０２が出続けないためのテープ止め１２が、切断刃１１と平行に設けてある。
【００１５】
これらの切断刃１１とテープ止め１２は、図３の切断構造１０の分解図中に示すように、鉄板１１ａを屈曲させて一体的に構成したものであり、金属板の短辺をギザ刃に型抜きし、その近傍を図示したように屈曲させて、テープ止め１２にしてある。そしてこの様な切断刃１１とテープ止め１２とを、図４に示すように、基体２側に取り付けてある、縦板状の取付金具１３にネジ止めしてあるのである。この取付金具１３は、中段に水平な段部１３ａが屈曲形成させてあり、次に述べるガード部１４のためのゴムリング１５の載置場所にもなっている。
【００１６】
ガード部１４は、切断刃とほぼ同幅の薄いプラスチック板を切断刃１１に重ねるようにして縦置きされたものであり、通常は切断刃よりも１〜２ｍｍ高く突き出ていので、これにより切断刃のガードが成されるが、下に押すと、次に述べるゴムリング１５で押し込み可能になっている。このガード部１４は、縦置きした時の中腹に、係止部１４ａが突き出るように成型されており、この係止部１４ａを次のゴムリング１５に載せる様になっている。即ち、ゴムリング１５は、取付金具１３の段部１３ａにリングを立てた姿勢で載せてあり、これに係止部１４ａを載せる様にしてガード部１４を取り付けるのである。これによると、ガード部１４を上から押す時には、ゴムリング１５でこれに対抗する上方向に押し出し付勢される様になっているのである。
【００１７】
以上のようにして構成されたこの実施例のテープカッター１は、準備されたテープロール１０１から、所望の長さにテープを引き出す。引き出したら、図５に示すようにテープを下に引く(符号Ａ参照)ようにして、切断刃１１にテープ１０２を押しつけるのである。これによりテープ１０２がテープ止め１２に貼り付き、切断刃１１の両側から、テープ止め１２と人手とでテープ１０２を引くこととなり、この様にして切断刃１１に押し当てられたテープ１０２が切れるのである。
【００１８】
この時、人手で引く側のテープは、ガード部を下に押さえ(符号Ａ参照)、要はこのテープに押されて、ガード部１４は退けられるのである(符号Ｂ参照)。これによりテープが切断刃により切り取られると、ガード部１４はゴムリング１５による上方への押し出し付勢により、切断刃１１よりも突き出た元の位置にもどり、切断刃１１をガードする状態となるのである。
【００１９】
なお本願の切断構造は上記のような家庭用・事務用のテープカッターに用いるだけでなく、様々な形態であってよい。図６に示すのは、スーパーのサッカー台に置かれる袋置き３０であり、生もの等を入れる袋を置いておくものである。この様な袋置きにはテープカッター１’が一緒に取り付けられていることがあるが、この図も袋置き３０に、本願の切断構造１０をもうけたものであり、ガード部１１などを用いた切断構造の構成はほぼ同様である。
【００２０】
なお本願発明は上記実施例に限るものではなく、本願発明の趣旨を逸脱しない範囲で、どの様に実施されてもよい。テープは粘着テープでもリボンや紙テープなどの非粘着テープでもよい。ガード部の退き方もどの様であってもよい。
【図面の簡単な説明】
【００２１】
【図１】この図は、本願発明の実施例のテープカッターの図である。
【図２】この図は、図１のテープカッターの図である。
【図３】この図は、切断構造を説明する分解図である。
【図４】この図は、切断構造を説明する図である。
【図５】この図は、テープを切る時の、ガード部の退けられる様子の図である。
【図６】この図は、別の実施例の図である。
【図７】この図は、従来のテープカッターの図である。
【図８】この図は、切断刃とテープ止めの説明図である。
【図９】この図は、テープを切る時の様子の説明図である。
【図１０】この図は、切断刃にカバーを設けた従来のテープカッターの図である。
【符号の説明】
【００２２】
１  テープカッター
２  基体
３  テープホルダー
１０  切断構造
１１  切断刃
１２  テープ止め
１３  取付金具
１４  ガード部
１５  ゴムリング
【図１】
2007145576.tif 000003
【図２】
2007145576.tif 000004
【図３】
2007145576.tif 000005
【図４】
2007145576.tif 000006
【図５】
2007145576.tif 000007
【図６】
2007145576.tif 000008
【図７】
2007145576.tif 000009
【図８】
2007145576.tif 000010
【図９】
2007145576.tif 000011
【図１０】
2007145576.tif 000012